(57)【要約】ベースおよび複数の研磨性粒子を含む組成物。装置は、ヘッドと、ヘッドに連結されたアプリケータとを含む。アプリケータは、人の皮膚の局所化された領域に接触するために適する寸法を有する。方法は、人の皮膚の領域に組成物をつけるステップを含み、その組成物は、ベースと複数の研磨性粒子とを含み、組成物を手で操作される器具で人の皮膚の領域上で操作する。
2006516215.tif 000002
【特許請求の範囲】
【請求項１】
ヘッド部分と、
ヘッド部分に結合され、前記ヘッド部分から延びる第１の部材と所定の角度で前記第１の部材に連結される第２の部材とを有し、人の手で把持するのに適したハンドル部分と、
前記ヘッド部分に連結された有孔性部材を含み、人の皮膚の局所領域に接触するのに適した寸法を有するアプリケータとを含む装置。
【請求項２】
前記角度は、０度と１８０度との間である請求項１に記載の装置。
【請求項３】
前記第２の部材は、
第１の端部と、
第２の端部と、
前記第１の端部と前記第２の端部との間の中間部分とを有する請求項１に記載の装置。
【請求項４】
前記第２の部材の前記第１の端部と前記第２の端部の少なくとも一方が、前記第１の部材に連結される請求項３に記載の装置。
【請求項５】
前記第２の部材の前記中間部分が前記第１の部材に連結される請求項３に記載の装置。
【請求項６】
前記第２の部材の中間部分は、形成された少なくとも１つの溝を有し、各溝は、少なくとも１つの人の指に対応することを特徴とする請求項５に記載の装置。
【請求項７】
前記アプリケータを加熱するための加熱ユニットを含む請求項１に記載の装置。
【請求項８】
前記加熱ユニットは、赤外線、紫外線、耐熱素子のうちの少なくとも１つを含む請求項７に記載の装置。
【請求項９】
前記加熱ユニットは、ほぼ華氏１００度とほぼ華氏１２０度との間の温度にアプリケータを加熱することができる請求項７に記載の装置。
【請求項１０】
前記アプリケータを移動させるために運動発生器を含む請求項１に記載の装置。
【請求項１１】
前記運動発生器は、前記アプリケータを回す装置と前記アプリケータを振動させる装置の少なくとも一方を含む請求項１０に記載の装置。
【請求項１２】
前記アプリケータを通って音波を伝搬させる音波発生器を含む請求項１に記載の装置。
【請求項１３】
前記有孔性部材がスポンジを含む請求項１に記載の装置。
【請求項１４】
前記スポンジは、閉鎖セル・スポンジと開放セル・スポンジの少なくとも一方を含む請求項１３に記載の装置。
【請求項１５】
ベースと５０ミクロンから５５６ミクロンの範囲の平均粒子寸法を有する複数の研磨性粒子を含む組成物を人の皮膚の所定の領域につけるステップと、
ヘッド部分と前記ヘッド部分に連結され、前記ヘッド部分の表面から延びる第１の部材と所定の角度で前記第１の部材に連結される第２の部材とを有し、人の手によっては維持するのに適したハンドル部分とを有する装置で人の皮膚の領域上で組成物を調整するステップとを含み、さらに
前記装置が、前記ヘッド部分に連結された有孔性部材を含み、人の皮膚の局所領域に接触するために適する寸法を有するアプリケータを含む方法。
【請求項１６】
前記操作は、前記アプリケータを振動させるか、回す少なくとも一方を含む請求項１５に記載の方法。
【請求項１７】
前記アプリケータを加熱するステップを含む請求項１５に記載の方法。
【請求項１８】
前記アプリケータを通して音波を伝播させる請求項１５に記載の方法。
【請求項１９】
前記有孔性部材は、研磨性粒子の平均粒子寸法と少なくともほぼ同じ大きさの孔の寸法を有する請求項１５に記載の方法。
【請求項２０】
前記有孔性部材は、組成物の操作中、有孔性部材内で研磨性粒子を移動させることができる孔の寸法を有する請求項１５に記載の方法。
【請求項２１】
人の皮膚につけるために適するベースと、
前記ベース内に懸濁された約３４マイクロメートルから約５５６マイクロメートルの平均粒子寸法を有する複数の研磨性粒子とを含む組成物。
【請求項２２】
ビタミン、ミネラル、酸化防止剤、クレンザ、乳化剤の少なくとも１つを含む請求項２１に記載の組成物。
【請求項２３】
モイスチャライザを含む請求項２１に記載の組成物。
【請求項２４】
前記モイスチャライザは、液体、ゲル、皮膚軟化剤のうち少なくとも１つを含む請求項２３に記載の組成物。
【請求項２５】
前記複数の研磨性粒子が前記モイスチャライザ内に懸濁されている請求項２３に記載の組成物。
【請求項２６】
研磨性粒子は、鋼玉、酸化マグネシウム、宝石のうち少なくとも１つを含む請求項２１に記載の組成物。
【請求項２７】
前記宝石は、ダイヤモンド、ガーネット、サファイヤ、ルビー、エメラルド、トパーズのうち少なくとも１つを含む請求項２６に記載の組成物。
【発明の詳細な説明】
【関連出願】
【０００１】
この出願は、２００１年３月９日に出願された共願０９／８０２，４２５号の一部継続出願であり、１９９９年１０月４日に出願された共願の一部継続出願である。
【技術分野】
【０００２】
ここに開示された実施形態は、一般に皮膚トリートメントに関する。
【背景技術】
【０００３】
顔の皮膚の若返り療法は、「化学剥離」と称するケミカル・トリートメントまたは「レーザ外科手術」と称されるレーザ・トリートメントによって、さらにはエメリ・ペーパーのような機械駆動手段による剥離によって行われてきた。このような方法は、一般に、治療上の監視を必要とし、治療の間の苦痛や不快感だけでなく、いくつかの心身に有害な副作用の危険性を含む。
【０００４】
マイクロ皮膚擦傷（例えば、マイクロ剥脱、粒子皮膚再生）は、皮膚の異常性を改良し、それを取り除くために制御された皮膚の剥脱を行うスキンケアにおける技術である。典型的なマイクロ皮膚擦傷機械は、容器から出力管を通ってハンド・ピースに鋼玉（酸化アルミニウムまたはアルミナ）の結晶を引く真空ポンプ・コンプレッサからなる。ハンド・ピースは、皮膚につけられるとき、経路をつくり、結晶は、皮膚を通って吸引管に引かれ、この吸引管は、使用済みの結晶と研磨された皮膚のための廃棄用の容器につながっている。吸引管内のフィルタは、真空ポンプの可動部品を保護している。技術者は、対象となる皮膚上でハンド・ピースを操作し、剥脱を誘導する。
【０００５】
したがって、コンプレッサ、鋼玉供給源、真空源、廃棄用容器は、訓練された技術者によって、患者にマイクロ皮膚擦傷を行うために特定の病院において必要である。しかしながら、このような精密で高価な装置は、家庭用としては、実用的ではない。
【０００６】
同じ参照符号が同じ部品を示している添付図面について制限されることなく、例示として、種々の実施形態が示されている。この明細書において、「ａｎ」「ｏｎｅ」「ｔｈｅ」「ｏｔｈｅｒ」「ａｌｔｅｒｎａｔｉｖｅ」「ｖａｒｉｏｕｓ」の実施形態（ｅｍｂｏｄｉｍｅｎｔ）は、同じ実施形態とは限らず、このような参照は、少なくとも１つである。
【発明を実施するための最良の形態】
【０００７】
次の説明において、説明を目的として、種々の実施形態の十分な理解を行うために種々の特定の詳細が説明される。これらのいくつかの特定の詳細を除いて実施形態を実施することができることは当業者に明らかである。他の場合において、種々の実施形態の詳細が不明瞭になることを避けるためにある構造および装置が省略されるか、または簡単にされる。
【０００８】
次の説明および添付図面は、説明を目的とするための例を提供する。しかしながら、これらの例は、可能な全ての実施形態の余すところのないリストを提供することを意図していないので制限する意味で理解すべきでない。
【０００９】
ベースと複数の研磨粒子を含む組成物が開示される。１つの実施形態において、組成物は人の皮膚に適用するのに適したモイスチャライザを含むベースと複数の研磨粒子を含む。組成物は、適切な研磨粒子は、鋼玉（例えば、酸化アルミニウム、アルミナ、Ａｌ2Ｏ3）や酸化マグネシウム（例えば、ＭｇＯ）のような、さらにはダイヤモンド、ガーネット、サファイヤ、ルビー、エメラルド、トパーズを含むが、それには制限されない宝石のような無機物の粒子を含む。
【００１０】
１つの実施形態において、研磨用粒子は、３４ミクロン（μｍ）から５５６ミクロン（３２０から３０グリット）台の平均の粒子寸法を有する微結晶である。さらに好ましくは、微結晶の平均粒子寸法は、約４２ミクロン（μｍ）から１９８（μｍ）（２８０ないし６０グリット）台である。
【００１１】
組成物中の粒子の研磨性は、人間の皮膚の面積の外観と感触を改良し、皮膚の異常部分を取り除くための剥脱材として適した組成物とする。さらに詳細には、研磨性粒子は、皮膚の下層を露出するために皮膚の外層（表皮）を取り除く傾向がある。人体は、皮膚の新しい層を形成することによって応答する。
【００１２】
これらの１つまたは複数の（好ましくは一連の）剥脱治療によって、治療を受ける皮膚が改良されると考えられる。このような改良は、細かな線、しわ、ストレッチ・マーク、非炎症性アクネ、アクネかすり傷、外科的なかすり傷、粗いかまたは荒れた肌合いの皮膚、老化点、しみのある皮膚の状態、日焼けでダメージを受けた皮膚の外観の改良を含む。
【００１３】
１つの実施形態において、組成物は、ベース内の複数の研磨性粒子を懸濁することができるベースを含む。種々の実施形態において、モイスチャライザは、ベース内の主要成分として使用される。モイスチャライザは、皮膚からの水の損失を低減し、内側の皮膚層から外側の皮膚層に水分を引き上げると考えられている。
【００１４】
この観点において、モイスチャライザは、１つの実施形態において、最も外側の皮膚層に水分をひきつける物質（例えば、ヒューメクタント）を含む。例えば、適切なヒューメクタントは、グリセリン、プロピレン・グリコール、アルファ・ヒドロキシ酸、尿酸、乳酸を含む。また、モイスチャライザは、障壁を形成することによって水の損失を低減する傾向がある物質を含む。このような物質は、とりわけ、ペトロラタム、鉱油、ラノリン、シリコン派生物を含む。
【００１５】
適切なモイスチャライザは、種々の形態で使用することができる。例えば、クリーム、ゲル、ペースト、皮膚軟化薬のような液体を使用することができる。モイスチャライザに加えて、さらに組成物のベースは、アンチオキシダント、アロマ／芳香剤、ビタミン（特に、ビタミンＡ、Ｃ、Ｅ）、乳化剤、トナー、酸類（例えば、グリコール酸、またはサリチル酸）、スクラブ、血清、ローション、液体、エリキシル剤、日焼け止め剤、強壮剤を含んでいてもよい。抗菌剤、殺菌剤、濃化剤もこの組成物内に含んでいてもよい。
【００１６】
他の実施形態において、この組成物のベースは、例えば、石鹸、サリチル酸、ラウリン硫酸塩（例えば、硫酸塩ナトリウムまたはｓｏｄｉｕｍ  ｌａｕｒｅｔｈ  ｓｕｌｆａｔｅ）を含むクレンジング成分を含む液体である。また、クレンジング成分のベースを、モイスチャライザと組み合わせることができる。さらに表面活性剤や乳化剤のような他の成分が含まれていてもよい。
【００１７】
１つの実施形態において、鋼玉の研磨粒子（例えば、アルミナ）の微結晶は、２８．３５ｇ（１オンス）のクリーム当たり約５から１００グラムの量、好ましくは、２８．３５ｇ（１オンス）のクリーム１０から５０グラム、さらには２８．３５ｇ（１オンス）当たり１０から２０グラムの量がクリーム・モイスチャライザのベースと組み合わせられる。例えば、適切な組成物は、重量の２０から７０パーセントの鋼玉、２０から７０パーセントのアロエ・ゲル、５から２０パーセントのラウリル酸塩ナトリウムを含む。
【００１８】
クリームのモイスチャライザ内に懸濁される研磨性粒子は、皮膚を再回復および若返らせるために皮膚の柔らかい微皮膚擦傷を実行し、いかなる回復時間の必要性なしに各トリートメント後に円滑で柔らかいままにする。したがって、各トリートメントは、細かな線やしわを低減し、穴の寸法を小さくし、日焼けのダメージを消し、老化スポットや皮膚の変色、硬い皮膚や筋肉の弾力、たるみの減少、新しい表皮性細胞の向上、アクネ皮膚状態のうっ血の緩和のために１日を基礎として繰り返すことができる。皮膚、特に顔の皮膚の若返り方法は、レーザによる手術、化学剥離、機械駆動剥脱に気がすすまず、それが不可能な人にとって理想的である。
【００１９】
鋼玉（酸化アルミニウム）の微結晶１オンスのクリームごとにほぼ１４グラムの微結晶のクリーム・モイスチャライザを含む適切な組成物の１つの例は、次の成分を含む。
【００２０】
【表１】
2006516215.tif 000003
【００２１】
１つの実施形態において、この組成物は、ジャー内の組成物内に入れられる後述する装置のアプリケータに対して十分に大きい口を有するジャー（図示せず）内に収容される。代替案として、その組成物は、手でジャーからすくいだされ、処理すべき皮膚の領域につけられる。この組成物を供給するためのポンプ機構または注射ボトル管構造体が適する。
【００２２】
皮膚をみがくための適切な装置の１つの例は、振動ヘッドを有し、振動ヘッドに連結されたアプリケータを有する携帯用装置を含む。このアプリケータは、人間の皮膚の局所化された領域に接触するために適する寸法を有する。
【００２３】
図１、図２を参照すると、例えば直流（ＤＣ）電池または交流（ＡＣ）電源によるアプリケータ装置（例えば、振動器）は、装置ハウジングのヘッド部分内に収容された振動装置を含む。また、装置は、内側の容積部分内に、取り外し可能で、交換可能な電池（例えば、複数のＡＡ電池）のような電源、ＡＣ電源に連結するための追加の回路、モータ（例えばＤＣ）駆動装置を作動させる回路を収容するハンドル部分１１を含む。装置は、１つの実施形態において、プラスチック製のケーシングから形成されている。
【００２４】
また、装置は、装置のヘッド部分１０に連結されたアプリケータ１２を含む。図１、図２に示した実施形態において、アプリケータ１２は、人間の皮膚の領域に接触するために適する寸法を有する布またはスポンジ、例えば、ポリウレタン製スポンジ・パッド、ラテックス製スポンジ・パッド、または他の閉鎖セル・スポンジ材料のような有孔性材料である。１つの適切なスポンジ材料は、通常、メイクアップ・スポンジ材料と称され、これはメイクアップ業界で使用される。１つの実施形態において、スポンジ材料の孔の寸法は、１５ミクロンから約４１０ミクロンの範囲である。
【００２５】
開放セル・スポンジ材料は、閉鎖セル材料の所定の位置か、またはそれと関連して使用される。同様に、アプリケータ１２は、合成ゴム、プラスチック、またはラテックスのような無孔材料を含み、これは、有孔性材料の所定の位置か、またはそれと関連して使用することができる。
【００２６】
１つの実施形態において、アプリケータは、研磨性粒子の平均粒子寸法と少なくとも同じ大きさである孔の寸法を有する。他の実施形態において、アプリケータは、皮膚上で組成物を操作している間、研磨性材料をアプリケータ内で移動させることができる孔の寸法を有する。孔の寸法は、使用中、皮膚が望ましくなく研磨されることを防止するために研磨性粒子がアプリケータ内に前進することができるようにすることが望ましい。１つの実施形態において、孔の寸法は、研磨性粒子が粒子の研磨性の効果が喪失されるほどアプリケータ内に深く入らないように十分に小さい。それとは異なり、孔の寸法は、粒子の吸収水準が研磨性材料として有効に残ることができるように選択される。
【００２７】
種々の実施形態において、加熱ユニットが、アプリケータ１２内か、またはそれに隣接されるように配置される。１つの実施形態において、加熱ユニットは、アプリケータを１００°Ｆ（約３８℃）と１２０°Ｆ（約４９℃）との間の温度に加熱することができる。例えば、加熱ユニットは、赤外線、紫外線および／または電源に連結された抵抗加熱素子などである。加熱ユニットからの熱は、治療中に皮膚を有利に和らげる。
【００２８】
図３は、図１の装置、特に装置の振動部分の概略断面図を示す。断面図によって、振動機構の動作が説明される。装置は、この実施形態において、取り外し可能な電源を含む。この場合において、取り外し可能な電源を収容するために内側の室２５を有するハンドル部分１１を含む。１つの例において、振動器を作動させるための電源は、ハンドル部分１１の内側室２５内に収容される２つのＡＡ電池である。導体２３、２４は、内側室の端部となっている。導体２３に連結された電線２６、２８は、モータ４０にまたはモータから電流を伝送する。電線２６は、モータ４０の動作を制御するためのスイッチ３５を含む回路板３０に結合される。複数の速度でモータ４０の動作を制御する２位置スイッチ（ＯＮ／ＯＦＦ）または複数位置スイッチである。
【００２９】
モータ４０は、ヘッド部分１０の内側部分２０内に配置され、モータ４０の端部から延びる軸４２を含む。軸４２は、モータ４０の作動部分とともに図示したように回転させられる。
【００３０】
モータ４０の軸４２の端部に偏心部分４５が連結される。この実施形態において、偏心部分４５は、その軸線が支柱４２に連結される半円筒形本体である。この態様において、偏心部分４５が回転するとき、その形状は、装置のヘッド部分１０内でリズム運動を発生し、振動を発生する。
【００３１】
図４は、図１の装置の分解側面図を示す。装置は、人によって把持される１つの部分の寸法であるハンドル部分１１を含む。ハンドル部分１１は、１つまたは複数の電池５０（例えば、２つのＡＡ電池）のような取り外し可能で交換可能な電源を収容するために内側容積部分２５を含む。カバー５５は、電源をハンドル部分１１の内側容積部分内に収容するためにハンドル部分１１の本体に嵌合される。
【００３２】
図４は、装置のヘッド部分１０に対するアプリケータ１２の構成を示す。１つの実施形態において、アプリケータ１２は（アプリケータ１２とキャップ１３の１つの表面との間の接着剤などによって）キャップ１３に結合される。図示したようなキャップ１３は、装置のヘッド部分１０の振動ヘッド２７の直径と同様の直径を有する円形の本体である。１つの実施形態において、振動ヘッド２７は、約２．５から５センチメートル（約１インチから２インチ）程度の直径を有する。振動ヘッド２７の直径は、リップ１９によって表されるようなヘッド部分１０の主要部より例えば、１から２ミリメートル（０．０１から０．０３インチ）程度でわずかに大きい。
【００３３】
キャップ１３の下側は、内側の容積部分１７を有する。キャップ１３がヘッド部分１０のリップ１９上に容易に嵌合しないように（内側容積部分１７を区画する）キャップ１３の側壁から１つまたは複数の突出部分１８が延びる。キャップ１３は、１つの実施形態において薄いプラスチックから形成されており、これにより、キャップを変形させ、リップ１９、振動ヘッド２７、ヘッド部分１０の上に嵌合させ、キャップ１３を所定位置にしっかりと保持する。代替案として、キャップは、ヘッドの内壁の周りの隆起部上に嵌合する溝を有していてもよい。
【００３４】
キャップ１３の上部に固定されるアプリケータ１２は、多数回使用した後、交換することができる。１つの実施形態において、アプリケータ１２とキャップ１３は、使用した後装置から取り除かれ、きれいにされる。例えば、１回または複数回クリーニングした後にもはや有効ではないと考えられるとき、アプリケータ１２（およびキャップ１３）は、廃棄され、交換される。１つの実施形態において、アプリケータ１２を、１回使用した後に交換し、廃棄することができる。この実施形態において、アプリケータ１２は、接着テープ、フォーム・フィットまたはアプリケータ１２をキャップ１３に取り外し可能に取り付ける同様の方法によってキャップ１３に連結させることができる。
【００３５】
図１から図４を参照して説明した実施形態において、振動機構を含む装置が説明されている。人の皮膚の領域に組成物を塗り、その組成物を図６を参照して説明するように振動装置によって（例えば、皮膚を和らげる）ことによって組成物を操作し、装置（例えば、アプリケータ）の振動動作によって、皮膚、筋肉、組織の処理領域を活性化する助けとすると考えられる。使用中、振動機構は、使用されるか、使用されなくてもよいことは理解できよう。
【００３６】
また、アプリケータを所定の位置で、または上述した振動運動に関連させてアプリケータを回転および回すことができる機構によって皮膚を和らげることが考えられる。１つの実施形態において、回転機構は、アプリケータの中心軸の周りでアプリケータを回転させるように構成されている。他の実施形態において、スピニング機構は、例えば、ランダムな軌道をつくるためにアプリケータの中心軸から離れた軸線の周りでアプリケータを回転させるような構成である。代表的でランダムなまたは標準的な軌道の振動は、毎分６０００またはそれ以下の回転である。
【００３７】
さらに種々の実施形態は、アプリケータ内、それに隣接するか、またはその双方に配置される音波発生器を含む。動作において、音波発生器によってつくられた音波は、アプリケータを通って進み、ユーザの皮膚をマッサージする。１つの適切な音波発生器は、例えば、発生器内の振動水晶から音波を発生する超音波発生器である。音波は、処理している領域での循環を増大するために使用されることができる。
【００３８】
図５は、手で操作するか、または作動する装置の実施形態を示す。装置５０は、人の手で把持するのに適するハンドル５５を含む。ハンドル５５は、１つの実施形態において、一端に、図１から図４を参照して説明したような態様と同様の態様でキャップ１３とアプリケータ１２を受け入れるために適する寸法を有するヘッド部分５８を含む。
【００３９】
図７は、手で操作する装置の他の実施形態を示す。装置７０は、ヘッド部分７２と、ヘッド部分に結合され、人の手で持つことができるハンドル部分を含む。ハンドル部分は、ヘッド部分７２から延びる第１の部材７４と、角度（θ）で第１の部材７４に結合された第２の部材７６を含む。角度（θ）は、０と１８０度との間の角度である。第２の部材７６は、第１の端部７６Ａと第２の端部７６Ｂを有し、さらに第１の端部７６Ａと第２の端部７６Ｂとの間に中間部分を有する。アプリケータ７８は、ヘッド部分７２に連結され、人の皮膚の局所領域に接触するために適する寸法を有する。
【００４０】
ハンドル部分の形状は、ここに説明するような適切な組成物の使用を容易にするための異なる態様でユーザが装置を把持することができるようにする。例えば、ユーザは、ユーザの手のひらがヘッド部分７２に向かって下に向かうように第２の部材７６の下にユーザの指をスライドさせることができる。代替案として、ユーザは、彼らの指で第２の部材７６を把持することができる。
【００４１】
図８は、手で操作される装置の他の実施形態を示す。装置８０は、ヘッド部分８２と、ヘッド部分に接続されるとともに人の手で把持するために適するハンドル部分とを含む。ハンドル部分は、ヘッド部分８２から延びる第１の部材８４と第１の部材８４に接続された第２の部材とを含む。アプリケータ８８は、ヘッド部分８２に接続され、人の皮膚の局所化された領域に接触するために適する寸法を有する。
【００４２】
第２の部材８６は、第１の端部８６Ａと第２の端部８６Ｂを有し、第１の端部８６Ａと第２の端部８６Ｂとの間の中間部分とを有する。第２の部材８６の中間部分は、第１の部材８４に連結される。さらに、第２の部材の中間部分は、その中に形成された溝８９を有する。各溝８９は、少なくとも１つの人の指に対応する。溝８９は、図８の第２の部材８６の下側に配置されるが、溝８９は、ユーザによる取り扱いを容易にするために第２の部材８６のいかなる方向および／または場所にも配置されることができる。
【００４３】
図９は、手で操作される装置の他の実施形態を示す。装置９０は、ヘッド部分９２と、ヘッド部分に接続されるとともに人の手で把持するために適するハンドル部分とを含む。ハンドル部分は、ヘッド部分９２から延びる第１の部材９４と第１の部材９４に接続された第２の部材９６とを含む。アプリケータ９８は、ヘッド部分９２に接続され、人の皮膚の局所化された領域に接触するために適する寸法を有する。
【００４４】
第２の部材９６は、第１の端部９６Ａと第２の端部９６Ｂを有し、さらに第１の端部９６Ａと第２の端部９６Ｂとの間の中間部分とを有する。第２の部材９６の第１の端部９６Ａは、第１の部材９４に連結される。
【００４５】
図１０は、手で操作される装置の他の実施形態を示す。装置１００は、ヘッド部分１０２と、ヘッド部分に接続されるとともに人の手で把持するために適するハンドル部分とを含む。ハンドル部分は、ヘッド部分１０２から延びる第１の部材１０４と第１の部材１０４に接続された第２の部材１０６とを含む。アプリケータ１０８は、ヘッド部分１０２に接続され、人の皮膚の局所化された領域に接触するために適する寸法を有する。
【００４６】
第２の部材１０６は、第１の端部１０６Ａと第２の端部１０６Ｂを有し、さらに第１の端部１０６Ａと第２の端部１０６Ｂとの間の中間部分とを有する。第２の部材１０６の第１の端部１０６Ａは、角度（β）で第１の部材１０４に連結される。図示した実施形態において、βは、鋭角である。
【００４７】
図６は、モータで駆動される振動機構または手で操作される装置を含む装置のいずれかを使用する方法を示すフロー・チャートを示す。最初に人のユーザは、アプリケータを装置（例えば、振動器、またはランダム軌道運動装置）に取り付ける（ブロック４００）。次に、例えば、モイスチャライザと研磨粒子の組成物が、アプリケータ上に配置される（ブロック４２０）。これは、内部に配置された組成物を有する容器内にアプリケータをつけることによって、または（例えば、ディスペンサ、スクワット・ボトル管、スパチューラまたは他の適切な手段で）組成物をアプリケータ上に直接つけることによって達成される。
【００４８】
ユーザは、処理すべき皮膚の領域にアプリケータに付けられた組成物をつける（ブロック４４０）。１つの例は、有孔性アプリケータの全面にほぼ０．８５ｃｍ（１／４インチ）を塗りつける。次にユーザは、例えば、７．６２ｃｍ（３インチ）離れた処理すべき場所に点をつける。
【００４９】
次に、ユーザは、装置（振動器）によって処理する皮膚の領域上で組成物を操作する（ブロック４６０）。１つの実施形態において、組成物の操作（ブロック４６０）は、しっかりした、上方への円形の行程を使用して皮膚の領域上に装置（例えば、振動器またはランダムな軌道運動装置）を移動させることを特徴とする。１つの例において、組成物の操作は、１分から１０分の間、組成物が皮膚内に作用し、皮膚が柔らかく、円滑になるまで続けられる。
【００５０】
最後に、ユーザは、組成物が吸収されなかった部分をふき取り（ブロック４８０）、その領域を選択的に洗浄し、きれいにする。１つの実施形態において、主成分としてモイスチャライザを含む組成物は、モイスチャライザのほぼ全体を皮膚にとられ、研磨性粒子のみが皮膚の表面上に残るまで作用されることができる。研磨性粒子は、ブラシで除去され、皮膚の領域がマイルドなクレンザで洗浄される。別の実施形態において、皮膚に組成物をつける前に、ユーザは、優しい円形の行程でマイルドなクレンザで皮膚の領域を洗い、温水で皮膚を洗浄し、柔らかなタオルでたたき皮膚を乾燥させる。
【００５１】
皮膚４４０に組成物を塗る場合、ユーザは、皮膚上で組成物を操作するために装置（振動器）を切り替える前に、皮膚のある領域の組成物を軽くたたくとよいことに留意すべきである。別の案として、ユーザは、組成物を皮膚につけると同時に、処理すべき皮膚の領域上で組成物を操作するとよい。代替案として、ユーザは、アプリケータへ組成物をつけると同時に、処理すべき領域に点をつけ、回転行程で操作する。振動アプリケータを使用することによって、ユーザは、オン（振動）位置の振動器でアプリケータを操作するか、軽い処理のためのオフ位置でアプリケータを操作することができる。
【００５２】
これまでの説明で、種々の実施形態の構造、機能の詳細および公式化とともに種々の実施形態の多数の特徴および利点を説明したが、この開示は説明のためのみである。添付した特許請求の範囲の用語の、全体の広い意味によって表される種々の実施形態の範囲から逸脱することなく、部品の構造、管理、組成物の公式の詳細な事項について変更が行われる。
【図面の簡単な説明】
【００５３】
【図１】アプリケータの一部分に連結されたアプリケータ・パッドを有するスナップオン・ディスクを有する携帯用アプリケータの１つの実施形態の平面図である。
【図２】図１のアプリケータの側面図である。
【図３】図１のアプリケータの後側面図である。
【図４】図１のアプリケータの分解側面図である。
【図５】アプリケータの第２の実施形態の側面図である。
【図６】皮膚を治療するための動作の１つの実施形態を記述するフロー・チャートである。
【図７】アプリケータの第３の実施形態の側面図である。
【図８】アプリケータの第４の実施形態の側面図である。
【図９】アプリケータの第５の実施形態の側面図である。
【図１０】アプリケータの第６の実施形態の側面図である。
【図１】
2006516215.tif 000004
【図２】
2006516215.tif 000005
【図３】
2006516215.tif 000006
【図４】
2006516215.tif 000007
【図５】
2006516215.tif 000008
【図６】
2006516215.tif 000009
【図７】
2006516215.tif 000010
【図８】
2006516215.tif 000011
【図９】
2006516215.tif 000012
【図１０】
2006516215.tif 000013
【国際調査報告】
2006516215.tif 000014
2006516215.tif 000015
2006516215.tif 000016